(57)【特許請求の範囲】
【請求項１】
装置において、
移動体デバイスのアンテナエレメントのアレイの第１のアンテナに結合するように構成されている第１の増幅器と、
前記アンテナエレメントのアレイの第２のアンテナに結合するように構成されている第２の増幅器と、
送信または受信メトリックがしきい値を超えることに少なくとも部分的に基づいて、前記第１および前記第２の増幅器のうちの１つをオフにするように構成されている制御回路とを具備し、
前記しきい値は、受信した信号または送信されることになる信号の、エラーベクトル振幅（ＥＶＭ）に基づいている装置。
【請求項２】
前記制御回路は、前記第１の増幅器に結合されている第１のバイアスレジスタと前記第２の増幅器に結合されている第２のバイアスレジスタとを備え、
前記第１のバイアスレジスタと前記第２のバイアスレジスタは、プロセッサに結合されている請求項１記載の装置。
【請求項３】
前記第１のアンテナに結合するように構成されている第１の低ノイズ増幅器と、前記第２のアンテナに結合するように構成されている第２の低ノイズ増幅器とをさらに具備し、
前記第１の低ノイズ増幅器は前記第１の増幅器に結合するように構成され、前記第２の低ノイズ増幅器は前記第２の増幅器に結合するようにさらに構成され、
前記第１の増幅器と前記第２の増幅器は、電力増幅器であり、
前記制御回路は、前記第１の低ノイズ増幅器と前記第２の低ノイズ増幅器とにさらに結合されている請求項１記載の装置。
【請求項４】
前記第１の増幅器の入力と前記第１の低ノイズ増幅器の出力とに結合されている第１の位相シフターと、
前記第２の増幅器の入力と前記第２の低ノイズ増幅器の出力とに結合されている第２の位相シフターとをさらに具備する請求項３記載の装置。
【請求項５】
前記移動体デバイスのアンテナエレメントの第２のアレイ中のアンテナに結合するように構成されている少なくとも１つの増幅器をさらに具備し、
前記アンテナエレメントの第２のアレイは、選択的にディセーブルされるように構成されている請求項１記載の装置。
【請求項６】
前記制御回路は、制御信号を受信して、前記制御信号に基づいて、前記第１および第２の増幅器のうちの１つをオフにする一方で、前記第１および第２の増幅器のうちの他はアクティブなままであるようにさらに構成され、
前記制御信号は、前記送信または受信メトリックが前記しきい値を超えているか否かを示す請求項１記載の装置。
【請求項７】
前記送信または受信メトリックは、前記移動体デバイスの送信スループットまたは前記移動体デバイスの信号対ノイズ比に関連する請求項１記載の装置。
【請求項８】
前記制御回路は、前記移動体デバイスの受信機の信号対ノイズ比（ＳＮＲ）条件にさらに基づいて、前記第１および第２の増幅器のうちの１つをオフにするように構成されている請求項１記載の装置。
【請求項９】
前記しきい値は、前記ＥＶＭに基づく特定のエラーの数に関連する特定の送信データレートに対応する請求項１記載の装置。
【請求項１０】
装置において、
第１の入力信号を増幅する第１の手段と、
第２の入力信号を増幅する第２の手段と、
送信または受信メトリックがしきい値を超えることに少なくとも部分的に基づいて、前記増幅する第１の手段と前記増幅する第２の手段とのうちの１つを選択的にディセーブルする手段とを具備し、
前記増幅する第１の手段は、移動体デバイスのアンテナエレメントのアレイの第１のアンテナに結合するように構成され、
前記増幅する第２の手段は、前記アンテナエレメントのアレイの第２のアンテナに結合するように構成され、
前記しきい値は、受信した信号または送信されることになる信号の、エラーベクトル振幅（ＥＶＭ）に基づいている装置。
【請求項１１】
前記増幅する第１の手段に結合されている、位相シフトする第１の手段と、
前記増幅する第２の手段に結合されている、位相シフトする第２の手段をさらに具備する請求項１０記載の装置。
【請求項１２】
前記送信または受信メトリックは、前記移動体デバイスの送信スループットに関連し、前記送信スループットが前記しきい値を超えることに基づいて、前記選択的にディセーブルする手段は、前記増幅する第１の手段と前記増幅する第２の手段とのうちの１つをディセーブルするように構成されている請求項１０記載の装置。
【請求項１３】
第３の入力信号を増幅する第３の手段と、
第４の入力信号を増幅する第４の手段とをさらに具備し、
前記増幅する第３の手段の入力は、前記第１のアンテナに結合するように構成され、
前記増幅する第４の手段の入力は、前記第２のアンテナに結合するように構成されている請求項１０記載の装置。
【請求項１４】
前記増幅する第３の手段と前記増幅する第４の手段は、前記選択的にディセーブルする手段に結合されている請求項１３記載の装置。
【請求項１５】
前記しきい値は、前記ＥＶＭに基づく特定のエラーの数に関連する特定の送信データレートに対応する請求項１０記載の装置。
【請求項１６】
方法において、
送信または受信メトリックがしきい値を超えることに少なくとも部分的に基づいて、移動体デバイスのアンテナエレメントのアレイの、第１のアンテナまたは第２のアンテナのうちの少なくとも１つの使用を選択的にディセーブルすることと、
前記送信または受信メトリックが前記しきい値を超えることに少なくとも部分的に基づいて、前記第１のアンテナに結合されている第１の増幅器と前記第２のアンテナに結合されている第２の増幅器とのうちの少なくとも１つに提供される電流を選択的に低減させることとを含み、
前記しきい値は、受信した信号または送信されることになる信号の、エラーベクトル振幅（ＥＶＭ）に基づいている方法。
【請求項１７】
前記送信または受信メトリックが前記しきい値より大きい間、少なくとも１つの信号を受信することをさらに含み、
前記送信または受信メトリックは、前記移動体デバイスの送信データレートに関連する請求項１６記載の方法。
【請求項１８】
前記送信データレートが前記しきい値を下回るまで、
前記少なくとも１つの信号を使用する電流低減と、
前記少なくとも１つの信号を使用する、アクティブなアンテナの数の低減とのうちの少なくとも１つを実行することをさらに含む請求項１７記載の方法。
【請求項１９】
前記第１のアンテナまたは前記第２のアンテナのうちの少なくとも１つの使用を選択的にディセーブルすることは、低ノイズ増幅器を選択的にディセーブルすることを含む請求項１６記載の方法。
【請求項２０】
前記移動体デバイスのアンテナエレメントの第２のアレイのうちの少なくとも１つのアンテナの使用をディセーブルすることをさらに含む請求項１６記載の方法。
【請求項２１】
前記しきい値は、前記ＥＶＭに基づく特定のエラーの数に関連する特定の送信データレートに対応する請求項１６記載の方法。
【発明の詳細な説明】
【関連出願の相互参照】
【０００１】
［０００１］
本願は、共通して所有している、２０１４年１月１７日に出願された米国非仮特許出願第１４／１５８，３３７号からの優先権を主張し、その内容は、参照によってその全体が明確にここに組み込まれている。
【分野】
【０００２】
［０００２］
本開示は、一般的に電力消費を低減させることに関連している。
【関連技術の説明】
【０００３】
［０００３］
テクノロジーにおける進歩は、結果として、より小型で、より強力なコンピューティングデバイスをもたらした。例えば、現在は、ポータブルワイヤレス電話機、パーソナルデジタルアシスタント（ＰＤＡ）、ページングデバイスのような、ワイヤレスコンピューティングデバイスを含む、さまざまなポータブルパーソナルコンピューティングデバイスが存在し、それらは、小型で、軽量で、ユーザにより容易に持ち運べる。より具体的には、セルラ電話機およびインターネットプロトコル（ＩＰ）電話機のようなポータブルワイヤレス電話機は、ワイヤレスネットワーク上で音声およびデータパケットを通信できる。さらに、多くのこのようなワイヤレス電話機は、そこに組み込まれる他のタイプのデバイスを含んでいる。例えば、ワイヤレス電話機は、デジタルスチルカメラ、デジタルビデオカメラ、デジタルレコーダ、およびオーディオファイルプレーヤーも含むことができる。また、このようなワイヤレス電話機は、インターネットにアクセスするために使用することができるウェブブラウザアプリケーションのようなソフトウェアアプリケーションを含む、実行可能命令を処理できる。このように、これらのワイヤレス電話機は、かなりの計算能力を含むことができる。
【０００４】
［０００４］
ワイヤレス電話機は、ワイヤレスネットワークを使用して、信号を受信および送信するように動作可能なトランシーバを含んでいてもよい。例えば、ビーム形成を使用して、パス損失を克服し、受信信号の信号対ノイズ比を増加させるような、向上した送信能力のために、複数のアンテナを有するアレイを、ワイヤレスネットワークは含んでいてもよい。各複数のアンテナアレイは、動作の間、比較的大量の電力を消費する、非常に多くの無線周波数（ＲＦ）コンポーネント（例えば、低ノイズ増幅器、電力増幅器、ミキサ等）を含んでいるかもしれない。
【図面の簡単な説明】
【０００５】
【図１】［０００５］  図１は、ワイヤレスシステムと通信するワイヤレスデバイスを示している。
【図２】［０００６］  図２は、トランシーバにおいて、電力消費を低減させるために動作可能な、システムの例示的な実施形態を描いているブロックダイヤグラムである。
【図３】［０００７］  図３は、図１のシステムにしたがって、電力増幅器に提供される電流の量を選択的に低減させ、トランシーバにおけるアンテナの使用を選択的にディセーブルする効果を図示しているグラフである。
【図４】［０００８］  図４は、トランシーバにおける電力消費を低減させるための方法の例示的な実施形態を図示しているフローチャートである。
【図５】［０００９］  図５は、トランシーバにおける電力消費を低減させるための方法の例示的な実施形態を図示しているフローチャートである。
【図６】［００１０］  図６は、トランシーバにおける電力消費を低減させるための方法の別の実施形態を図示しているフローチャートである。
【図７】［００１１］  図７は、トランシーバにおける電力消費を低減させるための方法の別の実施形態を図示しているフローチャートである。
【詳細な説明】
【０００６】
［００１２］
以下で述べる詳細な説明は、本開示の例示的な設計の説明として意図され、本開示が実現できる唯一の設計を表すようには意図されていない。用語「例示的な」は、「例、事例、または実例として機能すること」を意味するようにここで使用される。「例示的な」ものとしてここで記述する何れの設計も、他の設計と比較して、必ずしも好ましいまたは有利なものと解釈されるものではない。詳細な説明は、本開示の例示的な設計の完全な理解を提供することを目的とした特定の詳細を含んでいる。ここで説明する例示的な設計は、これらの特定の詳細なしで実現できることが当業者にとって明らかだろう。いくつかの事例において、周知の構造およびデバイスは、ここで提示する例示的な設計の新規性を曖昧にすることを避けるために、ブロックダイヤグラム形態で示される。
【０００７】
［００１３］
図１は、ワイヤレス通信システム１２０と通信するワイヤレスデバイス１１０を示している。ワイヤレス通信システム１２０は、ロングタームエボリューション（ＬＴＥ（登録商標））システム、コード分割多元接続（ＣＤＭＡ）システム、移動体通信のためのグローバルシステム（ＧＳＭ（登録商標））システム、ワイヤレスローカルエリアネットワーク（ＷＬＡＮ）システム、または、他の何らかのワイヤレスシステムであってもよい。ＣＤＭＡシステムは、ワイドバンドＣＤＭＡ（ＷＣＤＭＡ（登録商標））、ＣＤＭＡ１Ｘ、エボリューションデータオプティマイズド（ＥＶＤＯ）、時分割同期ＣＤＭＡ（ＴＤ−ＳＣＤＭＡ）、またはＣＤＭＡの他の何らかのバージョンを実現してもよい。簡略化のために、図１は、２つの基地局１３０および１３２と、１つのシステム制御装置１４０とを含むワイヤレス通信システム１２０を示している。一般的に、ワイヤレスシステムは、任意の数の基地局と任意のセットのネットワークエンティティとを含んでいてもよい。
【０００８】
［００１４］
ワイヤレスデバイス１１０はまた、ユーザ機器（ＵＥ）、移動局、端末、アクセス端末、加入者ユニット、局等として呼ばれることもある。ワイヤレスデバイス１１０は、セルラ電話機、スマートフォン、タブレット、ワイヤレスモデム、パーソナルデジタルアシスタント（ＰＤＡ）、ハンドヘルドデバイス、ラップトップコンピュータ、スマートブック、ネットブック、コードレス電話機、ワイヤレスローカルループ（ＷＬＬ）局、Ｂｌｕｅｔｏｏｔｈ（登録商標）デバイス等であってもよい。ワイヤレスデバイス１１０は、ワイヤレス通信システム１２０と通信してもよい。ワイヤレスデバイス１１０は、ブロードキャスト局（例えば、ブロードキャスト局１３４）からの信号、１つ以上のグローバルナビゲーション衛星システム（ＧＮＳＳ）中の衛星（例えば衛星１５０）からの信号等も受信してもよい。ワイヤレスデバイス１１０は、ＬＴＥ、ＷＣＤＭＡ、ＣＤＭＡ１Ｘ、ＥＶＤＯ、ＴＤ−ＳＣＤＭＡ、ＧＳＭ、８０２．１１等のような、ワイヤレス通信のための１つ以上の無線テクノロジーをサポートしていてもよい。
【０００９】
［００１５］
図２を参照すると、トランシーバにおける電力消費を低減させるように動作可能なシステム２００の例示的で実例的な実施形態が示されている。システム２００は、プロセッサ２０２（例えば、動的電力制御装置）、無線周波数（ＲＦ）回路２０４、２０６、および信号処理回路２０８を含んでいる。システム２００は、移動体デバイスに対応していてもよく、または、移動体デバイス内に含まれていてもよい。例えば、移動体デバイスは、移動体電話機、ラップトップコンピュータ、タブレット、音楽プレーヤー、ビデオプレーヤー、エンタテイメントユニット、ナビゲーションデバイス、通信デバイス、パーソナルデジタルアシスタント（ＰＤＡ）等に対応していてもよい。例示的な実施形態において、電気電子技術者協会（ＩＥＥＥ）８０２．１１ａｄのような業界標準規格にしたがって使用される、ミリメータ（ｍｍ）周波数システム（例えば、６０ギガヘルツ（ＧＨｚ）無線周波数集積回路（ＲＦＩＣ））を、システム２００は含んでいてもよい。
【００１０】
［００１６］
プロセッサ２０２は、以下で説明するように、電力消費を動的に低減させるために、ＲＦ回路２０４、２０６のコンポーネントに、そして信号処理回路２０８のコンポーネントに結合されていてもよい。プロセッサ２０２は、命令を実行するように構成されていてもよい。図２中に図示するように、プロセッサ２０２に関係付けられている接続は、点線を使用して示されている。
【００１１】
［００１７］
第１のアンテナ２１０ａ、第２のアンテナ２１０ｂ、第Ｎのアンテナ２１０ｃは、ＲＦ回路２０４に結合されていてもよく、Ｎは、１より大きい任意の整数に対応する。非限定的な例として、Ｎが７と等しい場合、ＲＦ回路２０４は、７つのアンテナに結合されているだろう。各アンテナ２１０ａ−２１０ｃは、対応する電力増幅器（ＰＡ）２１２ａ−２１２ｃに、そして対応する低ノイズ増幅器（ＬＮＡ）２１４ａ−２１４ｃに結合されていてもよい。例えば、第１のアンテナ２１０ａは、第１の電力増幅器（ＰＡ１）２１２ａに、そして第１の低ノイズ増幅器（ＬＮＡ１）２１４ａに結合されていてもよく、第２のアンテナ２１０ｂは、第２の電力増幅器（ＰＡ２）２１２ｂに、そして第２の低ノイズ増幅器（ＬＮＡ２）２１４ｂに結合されていてもよく、第Ｎのアンテナ２１０ｃは、第Ｎの電力増幅器（ＰＡＮ）２１２ｃに、そして第Ｎの低ノイズ増幅器（ＬＮＡＮ）２１４ｃに結合されていてもよい。
【００１２】
［００１８］
各電力増幅器２１２ａ−２１２ｃは、対応するアンテナ２１０ａ−２１０ｃを介して、（示していない）ワイヤレスネットワーク上で送信されることになる信号を増幅するように構成されていてもよい。各低ノイズ増幅器２１４ａ−２１４ｃは、対応するアンテナ２１０ａ−２１０ｃを介して、ワイヤレスネットワークから受信する信号の利得を、増幅して、改善するように構成されていてもよい。第１のアンテナ２１０ａは、第１の方向に関する信号を送信および受信するように結合されていてもよく、第２のアンテナ２１０ｂは、第２の方向に関する信号を送信および受信するように結合されていてもよく、第Ｎのアンテナ２１０ｃは、第３の方向に関する信号を送信および受信するように結合されていてもよい。
【００１３】
［００１９］
第１の位相シフタ２１６ａは、第１の電力増幅器２１２ａに、そして第１の低ノイズ増幅器２１４ａに結合されていてもよく、第２の位相シフタ２１６ｂは、第２の電力増幅器２１２ｂに、そして第２の低ノイズ増幅器２１４ｂに結合されていてもよく、第Ｎの位相シフタ２１６ｃは、第Ｎの電力増幅器２１２ｃに、そして第Ｎの低ノイズ増幅器２１４ｃに結合されていてもよい。各位相シフタ２１６ａ−２１６ｃは、ビーム形成動作において、対応するビームをステアリングしてもよい。
【００１４】
［００２０］
第１の制御回路２１８ａ（例えば、第１のバイアスレジスタ）は、第１の電力増幅器２１２ａに結合されていてもよく、第２の制御回路２１８ｂ（例えば、第２のバイアスレジスタ）は、第２の電力増幅器２１２ｂに結合されていてもよく、第Ｎの制御回路２１８ｃ（例えば、第Ｎのバイアスレジスタ）は、第Ｎの電力増幅器２１２ｃに結合されていてもよい。例示的な実施形態において、第１の制御回路２１８ａ、第２の制御回路２１８ｂ、および第Ｎの制御回路２１８ｃを、単一の制御回路として実現してもよい。各制御回路２１８ａ−２１８ｃは、プロセッサ２０２によって提供されるデジタルコード（例えば、制御信号）に基づいて、対応する電力増幅器２１２ａ−２１２ｃに提供される電流の量を調節（例えば、増加または減少）するように構成されていてもよい。電力増幅器２１２ａ−２１２ｃに提供される電流を低減させること（例えば、減少させること）は、システム２００において消費される電力の量を低減させる。
【００１５】
［００２１］
各制御回路２１８ａ−２１８ｃはまた、各電力増幅器２１２ａ−２１２ｃを選択的に「オン」してもよく、したがって、対応するアンテナ２１０ａ−２１０ｃの使用を選択的にイネーブル（例えば、アンテナ２１０ａ−２１０ｃを信号処理回路２０８に結合）してもよい。さらに、各制御回路２１８ａ−２１８ｃは、各電力増幅器２１２ａ−２１２ｃの使用を選択的に「オフ」してもよく、したがって、対応するアンテナ２１０ａ−２１０ｃの使用を選択的にディセーブル（例えば、アンテナ２１０ａ−２１０ｃを信号処理回路２０８から減結合）してもよい。アンテナ２１０ａ−２１０ｃの使用をディセーブルすることは、システム２００において消費される電力の量を低減させる。制御回路２１８ａ−２１８ｃは、対応するＬＮＡ２１４ａ−２１４ｃにも結合され、ＬＮＡ２１４ａ−２１４ｃを選択的にイネーブル（またはディセーブル）してもよい。
【００１６】
［００２２］
図２中に図示するように、ＲＦ回路２０４は、電力増幅器２１２ａ−２１２ｃ、低ノイズ増幅器２１４ａ−２１４ｃ、位相シフタ２１６ａ−２１６ｃ、および制御回路２１８ａ−２１８ｃを含んでいる。別の実施形態では、ＲＦ回路２０４は、図２中で図示されているコンポーネントのサブセットを含んでいてもよい。非限定的な例として、ＲＦ回路２０４は、電力増幅器２１２ａ−２１２ｃ、位相シフタ２１６ａ−２１６ｃ、および制御回路２１８ａ−２１８ｃ（例えば、送信機タイプコンフィギュレーション）を含んでいてもよい。
【００１７】
［００２３］
ＲＦ回路２０６は、ＲＦ回路２０４に関して説明したのと類似するコンポーネントを含んでいてもよく、ＲＦ回路２０６は、ＲＦ回路２０４と実質的に類似する方法で動作してもよい。例えば、ＲＦ回路２０６は、電力増幅器、低ノイズ増幅器、位相シフタ、制御回路、またはこれらの任意の組み合わせを含んでいてもよい。複数のアンテナは、ＲＦ回路２０４に関して説明したのと類似する方法で、ＲＦ回路２０６に結合されていてもよい。
【００１８】
［００２４］
ＲＦ回路２０４は、第１のスイッチ２２０を介して信号処理回路２０８に選択的に結合されてもよく、ＲＦ回路２０６は、第２のスイッチ２２２を介して信号処理回路２０８に選択的に結合されてもよい。第１のスイッチ２２０および第２のスイッチ２２２は、プロセッサ２０２によって制御されてもよい。例えば、プロセッサ２０２からの制御信号に応答して、第１のスイッチ２２０はＲＦ回路２０４をディセーブル（例えば、信号処理回路２０８からアンテナエレメント２０４の第１のアレイを減結合）してもよい。類似した方法で、第２のスイッチ２２２は、プロセッサ２０２からの制御信号に応答して、ＲＦ回路２０６をディセーブルしてもよい。ＲＦ回路２０４、ＲＦ回路２０６、または、これらの任意の組み合わせをディセーブルすることは、システム２００において消費される電力の量を低減させる。
【００１９】
［００２５］
信号処理回路２０８は、受信した信号および／または送信されることになる信号を処理するように構成されていてもよい。例えば、信号処理回路２０８は、（示されていない）送信ミキサ、（示されていない）受信ミキサ、（示されていない）送信可変利得増幅器、（示されていない）受信可変利得増幅器、（示されていない）デジタルアナログ変換器（ＤＡＣ）、（示されていない）アナログデジタル変換器等を含んでいてもよい。信号処理回路２０８は、（示されていない）電力調節ユニットを含んでいてもよい。電力調節ユニットは、プロセッサ２０２に応答して、送信されることになるデータの送信レート（例えば、送信スループットレート）を調節してもよい。送信されることになるデータの送信レートを低減させることは、システム２００において消費される電力の量を低減させることができる。
【００２０】
［００２６］
プロセッサ２０２は、電子デバイス（例えば、移動体通信デバイス）の送信スループットを決定するように構成されてもよい。送信スループットは、特定の時間におけるデータ送信のためのワイヤレスチャネルに関係付けられているデータレートに対応していてもよい。例えば、少なくとも１つの受信信号、または、送信されることになる信号において、ビーム形成プロセスを実行して、エラーベクトル振幅（ＥＶＭ）を決定（例えば、計算）してもよい。ビーム形成は、特定の角度における信号が、互いに強め合う干渉ができるようにする一方で、他の信号が、互いに弱め合う干渉ができるようにして、指向性信号送信および／または指向性信号受信を提供する。ノイズ、干渉信号（例えば、ビーム形成）、非線形歪み等の関数である、信号品質の尺度として、ＥＶＭを使用してもよい。したがって、送信スループットは、計算されたＥＶＭの関数であってもよい。例えば、例示的な実施形態において、ＥＶＭに基づいて、エラーなく、システム２００がデータ（例えば、信号）を送信する最大送信スループットを、プロセッサ２０２は決定してもよい。
【００２１】
［００２７］
プロセッサ２０２は、ＥＶＭに基づく送信スループットが、しきい値スループットを超える（例えば、より大きい）か否かを決定してもよい。しきい値スループットは、システム２００がデータ完全性を維持するために下回って落ちるべきではない、データレートに対応していてもよい。例示的な実施形態において、送信スループットが絶対しきい値スループット（例えば、要求されるスループット）を下回って落ちることを防ぐように設定されるマージンを、しきい値スループットは含んでいてもよい。そうではないと述べられない限り、用語「しきい値スループット」および「絶対しきい値スループット」を交換可能に使用してもよいが、しきい値スループットは、絶対しきい値スループットよりも大きい（例えば、より高いデータレートを有する）かもしれないと理解すべきである。
【００２２】
［００２８］
送信スループットがしきい値スループットより小さいとの決定に応答して、プロセッサ２０２は、制御信号をＲＦ回路２０４、ＲＦ回路２６０、または、これらの任意の組み合わせに提供することにより、少なくとも１つのアンテナの使用を選択的にイネーブルするように構成されていてもよい。例えば、プロセッサ２０２は制御信号を制御回路（例えば、ＲＦ回路２０４中の制御回路２１８ａ−２１８ｃのうちの少なくとも１つ）に送って、１つ以上の電力増幅器２１２ａ−２１２ｃをオンにしてもよい（例えば、対応するアンテナと信号制御回路２０８との間の伝導性をイネーブルする）。代替的にまたはさらに、プロセッサ２０２は、少なくとも１つの電力増幅器２１２ａ−２１２ｃ、ＲＦ回路２０６中の少なくとも１つの電力増幅器、または、これらの任意の組み合わせ、に提供される電流の量を選択的に増加させるように構成されていてもよい。例えば、プロセッサ２０２は、制御信号を制御回路（例えば、制御回路２１８ａ−２１８ｃのうちの少なくとも１つ）に送って、対応する電力増幅器２１２ａ−２１２ｃに提供される電流の量を増加させてもよい。例示的な実施形態において、同一のコード（例えば、制御信号）を各制御回路２１８ａ−２１８ｃに提供して、実質的に類似する量だけ、各対応する電力増幅器２１２ａ−２１２ｃに提供される電流を増加させてもよい。
【００２３】
［００２９］
アンテナ２１０ａ−２１０ｃの使用をイネーブルすること、および／または、電力増幅器２１２ａ−２１２ｃに提供される電流の量を増加させることは、増加した電力消費を犠牲にして、送信スループットを増加させる。代替的にまたはさらに、プロセッサ２０２は、１つ以上の制御信号を信号処理回路２０８中の電力調節ユニットに送って、送信されることになるデータの送信レートを増加させる（例えば、送信スループットを増加させる）。送信されることになるデータの送信レートを増加させることはまた、電力消費増加を犠牲にして、送信スループットを増加させる。
【００２４】
［００３０］
送信スループットがしきい値スループットを超えるという決定に応答して、プロセッサ２０２は、アンテナ２１０ａ−２１０ｃに結合されている電力増幅器２１２ａ−２１２ｃに提供される電流の量を選択的に低減させるように構成されていてもよく、ＲＦ回路２０６中の電力増幅器に提供される電流の量を低減させるように構成されていてもよく、または、これらの任意の組み合わせであってもよい。さらに、プロセッサ２０２は、ＲＦ回路２０４に結合されている少なくとも１つのアンテナ、ＲＦ回路２０６に結合されている少なくとも１つのアンテナ、または、これらの任意の組み合わせを選択的にディセーブルするように構成されていてもよい。
【００２５】
［００３１］
電力増幅器２１２ａ−２１２ｃに提供される電流の量を低減させること、および／または、アンテナ２１０ａ−２１０ｃの使用をディセーブルすることは、システム２００において消費される電力の量を低減させる。代替的にまたはさらに、プロセッサ２０２は、１つ以上の制御信号を信号処理回路２０８中の電力調節ユニットに送り、送信されることになるデータの送信レートを減少（例えば、送信スループットを減少）させてもよい。送信されることになるデータの送信レートを減少させることは、システム２００において消費される電力の量も減少（例えば、低減）させることができる。
【００２６】
［００３２］
例示的な実施形態において、プロセッサ２０２は、電力増幅器２１２ａ−２１２ｃのうちの１つをオフにし、他の電力増幅器２１２ａ−２１２ｃに提供される電流の量を選択的に低減させるように構成されていてもよい。例えば、プロセッサ２０２は、制御信号を第１の制御回路２１８ａに送り、第１の電力増幅器２１２ａをオフにしてもよく、制御信号を第２の信号回路２１２ｂに送り、第２の電力増幅器２１２ｂに提供される電流の量を低減させてもよい。
【００２７】
［００３３］
プロセッサ２０２は、送信スループットが送信しきい値を超えるという決定に応答して、ＲＦ回路を選択的にディセーブルするようにも構成されていてもよい。例えば、プロセッサ２０２は、制御信号を第１のスイッチ２２０および／または第２のスイッチ２２２に送り、ＲＦ回路２０４またはＲＦ回路２０６を、信号処理回路２０８から減結合してもよい。
【００２８】
［００３４］
特定の実施形態において、ＲＦ回路２０６をディセーブルする（例えば、オフにする）一方で、ＲＦ回路２０４をイネーブルすること（例えば、システム２００の放射エレメント（アンテナ）のおおよそ半分の使用をディセーブルすること）は、おおよそ６デシベル（ｄＢ）だけ出力電力を低減できる。電力増幅器２１２ａ−２１２ｃに提供される電流がＲＦ回路２０４の送信電力比をおおよそ３ｄＢだけ増加させるように、ＲＦ回路２０４中の制御回路２１８ａ−２１８ｃに提供されるバイアスコードは調節される（例えば、増やされる）。例えば、ＲＦ回路２０４の送信電力比が、おおよそ４．５ｄＢｍからおおよそ７．５ｄＢｍに増やされるように、バイアスコードは調節されてもよい。結果として、ＲＦ回路２０４に関係付けられている利得は、おおおよそ１．８ｄＢまで増やされる。さらに、ベースバンド信号電力は、送信電力比における増加と利得における増加との差だけ増やされる（例えば、３ｄＢ−１．８ｄＢ＝１．２ｄＢ）。
【００２９】
［００３５］
したがって、上記で説明したように、ＲＦ回路２０６をディセーブルし、電力増幅器２１２ａ−２１２ｃに提供される電流を増加させることは、線形を劣化させることなく（例えば、追加の信号の歪みなく）、おおよそ３ｄＢだけ（例えば、６ｄＢだけ減少させ、その後、３ｄＢ増加させる）出力電力を減少させることができる。さらに、ビーム形成プロセスの間のビームは、より少ない放射エレメント（アンテナ）が原因で、幅広くてもよい。また、ＲＦ回路２０６をディセーブルすることは、システム２００における電力消費を低減させることができる。例えば、システム２００において消費される電力を、おおよそ２０パーセントだけ低減させることができる。
【００３０】
［００３６］
上記で述べたように、プロセッサ２０２は、送信スループットがしきい値スループットを超えるという決定に応答して、電力増幅器２１２ａ−２１２ｃのうちの少なくとも１つに提供される電流の量を選択的に低減させてもよく、少なくとも１つの他の電力増幅器２１２ａ−２１２ｃを選択的にオフにしてもよい。これらの動作は、図２のシステム２００を参照するとともに図３を参照して、さらに説明する。
【００３１】
［００３７］
図３を参照すると、図２のシステムにしたがって、電力増幅器に提供される電流の量を選択的に低減させ、電力増幅器を選択的にディセーブルする（例えば、トランシーバにおけるアンテナをディセーブルする）効果を図示しているグラフ３００を示している。グラフ３００は、例示的な目的で提供されていると理解すべきであり、限定するものとして解釈すべきではない。特定の実施形態において、グラフ３００は、ＲＦ回路２０６がディセーブルされ（例えば、信号処理回路２０８から減結合され）、ＲＦ回路２０４が３つのアンテナに結合されているシナリオに対応している。
【００３２】
［００３８］
グラフ３００の水平軸は、電力低減ステップに対応している。例えば、水平軸上の各Ｎの倍数（例えば、Ｎ、２Ｎ、および３Ｎ）は、電力増幅器がディセーブルされる事例に対応していてもよい。水平軸上のＮの倍数間の間隔は、電力増幅器２１２ａ−２１２ｃに提供される電流の量を低減させる事例に対応していてもよい。
【００３３】
［００３９］
グラフ３００の垂直軸は、システム２００の送信スループットに対応している。グラフ３００中に示すように、しきい値スループット３０２は、マージンにだけ、絶対しきい値スループット３０４から分離されている。特定の実施形態において、電力増幅器（例えば、図２の電力増幅器２１２ａ−２１２ｃ）に提供される電流の量の低減が、絶対しきい値スループット３０４を下回るように送信スループットを低下させるのを防ぐために、マージンを設定してもよい。
【００３４】
［００４０］
送信スループットがしきい値スループット３０２を超えるという決定に応答して、図２のプロセッサ２０２は、特定の量（例えば、単一の２進値だけ、制御回路２１８ａ−２１８ｃに提供されるデジタルコードをデクリメントすることにより特定される量）だけ、各電力増幅器２１２ａ−２１２ｃに提供される電流の量（例えば、初期（または最初）の電流の量）を低減させて、第２の電流の量（例えば、低減させた電流の量）を各電力増幅器２１２ａ−２１２ｃに提供してもよい。例えば、送信スループットが第１のレベル３０６であるという決定に応答して、プロセッサ２０２は制御信号（例えば、デジタルコード）を各制御回路２１８ａ−２１８ｃに送り、各制御回路２１８ａ−２１８ｃは、制御信号に基づいて、特定の量だけ、対応する電力増幅器２１２ａ−２１２ｃに提供される電流の量を低減させてもよい（例えば、第２の電流の量を各電力増幅器２１２ａ−２１２ｃに提供する）。
【００３５】
［００４１］
プロセッサ２０２は、各電力増幅器２１２ａ−２１２ｃに提供される第２の電流の量に応答して、送信スループットを決定してもよい。ＥＶＭを決定するために、ビーム形成プロセスを実行してもよく、プロセッサ２０２は、ＥＶＭに基づく送信スループットがしきい値スループット３０２を超えるか否かを決定してもよい。第２の電流の量に基づく送信スループットが、しきい値スループット３０２を超える（例えば、送信スループットが第２のレベル３０８である）という決定に応答して、プロセッサ２０２は、第２の電流の量がしきい値電流の量より大きいか否かを決定してもよい。
【００３６】
［００４２］
例えば、電力増幅器２１２ａ−２１２ｃに提供される電流の量は、制御回路２１８ａ−２１８ｃに提供されるデジタルコードが減少されるにしたがって、低減させる。デジタルコードが最小値に達するとき、プロセッサ２０２は、電力増幅器２１２ａ−２１２ｃに提供される電流の量が、しきい値電流の量より大きくないと決定してもよい。第２の電流の量がしきい値電流の量より大きい場合、プロセッサ２０２は、制御信号（例えば、デジタルコード）を各制御回路２１８ａ−２１８ｃに送ってもよく、各制御回路２１８ａ−２１８ｃは、対応する電力増幅器２１２ａ−２１２ｃに提供される第２の電流の量を低減させて、第３の電流の量（例えば、低減させた電流の量）を電力増幅器２１２ａ−２１２ｃに提供してもよい。
【００３７】
［００４３］
特定の実施形態において、第２の電流の量が結果としてしきい値スループット３０２より低い送信スループットとなる場合、プロセッサ２０２は、電流を低減させおよび／または電力増幅器をディセーブルするための制御信号の送信をやめてもよい。代替的に、第２の電流の量が結果としてしきい値スループット３０２よりも大きい送信スループットとなり、第２の電流の量がしきい値電流の量より大きくない場合、プロセッサ２０２は、アンテナエレメント２０４の第１のアレイ中の少なくとも２つのアンテナの使用がイネーブルされている（例えば、信号処理回路２０８に結合されている）か否かを決定してもよい。例えば、アンテナエレメント２０４の第１のアレイ中の少なくとも２つのアンテナの使用がイネーブルされている場合、プロセッサ２０２は、ＲＦ回路２０４中の少なくとも１つの電力増幅器をディセーブルしてもよい。例えば、プロセッサ２０２は１つ以上の制御信号を第１の制御回路２１８ａに送り、第１の電力増幅器２１２ａをディセーブルしてもよい。図３中に示すように、第１のアンテナ２１０ａをディセーブルすることは、送信スループットを、加速されたレートで低減させる（例えば、跳び下りる）ことになるかもしれない一方で、電力増幅器２１２ａ−２１２ｃに提供される電流の量を低減させることは、送信スループットを徐々に低減させるかもしれない。
【００３８】
［００４４］
ＲＦ回路２０４中の少なくとも１つの電力増幅器をディセーブルするより前に、プロセッサ２０２は、電力増幅器をディセーブルすることに応答して、送信スループットがしきい値スループット３０２を下回って落ちるであろうか否かを決定してもよい。例えば、プロセッサ２０２は、送信スループットから送信スループットバッファ値（例えば、図３中の「しきい値Ａ」）を減算して、保護スループット値を発生させてもよい。保護スループット値は、図３中の点線によって図示されている。プロセッサ２０２は、保護スループット値としきい値スループット３０２を比較してもよい。しきい値スループット３０２が保護スループット値より大きい場合、プロセッサ２０２は、電力増幅器をディセーブルすることに応答して、送信スループットがしきい値スループット３０２を下回って落ちるだろうと決定してもよい。
【００３９】
［００４５］
第１の電力増幅器をディセーブルした後、プロセッサ２０２は、送信スループットを決定してもよい（例えば、ビーム形成プロセスを実行し、計算されたＥＶＭに基づいて、送信スループットを決定する）。送信スループットがしきい値スループット３０２より大きい場合、プロセッサは、第２および第３の制御回路２１８ｂ、２１８ｃに提供されるデジタルコードをリセットしてもよく、上記で説明したのと実質的に類似する方法で、第２および第３の電力増幅器２１２ｂ、２１２ｃに提供される電流の量を選択的に低減させてもよい。例えば、第２および第３の電力増幅器２１２ｂ、２１２ｃに提供される電流の量は、送信スループットがしきい値スループット３０２とおおよそ同等となる（例えば、送信スループットが第３のレベル３１０になる）まで、インクリメント的に低減させてもよい。送信スループットがしきい値スループット３０２を下回って落ちる場合、しきい値スループット３０２と絶対しきい値スループット３０４との間のマージンは、送信スループットが絶対しきい値スループット３０４を下回って落ちることを防ぐことができることが正しく認識されるであろう。
【００４０】
［００４６］
システム２００の受信機側で信号対ノイズ比（ＳＮＲ）が満足されている限り、送信スループットがしきい値スループット３０２より大きいとき、プロセッサ２０２は、消費される電力の量を動的に調節（例えば、低減）してもよい（例えば、プロセッサ２０２は、電力増幅器２１２ａ−２１２ｃに提供される電流の量を選択的に低減させてもよく、および／または、電力増幅器２１２ａ−２１２ｃのうちの少なくとも１つを選択的にディセーブルしてもよい）。例えば、電力増幅器２１２ａ−２１２ｃのうちの１つ以上をディセーブルすることは、アンテナ２１０ａ−２１０ｃを介して受信され、低ノイズ増幅器２１４ａ−２１４ｃによって処理される（例えば、増幅される）信号のＳＮＲを低減させるかもしれない。したがって、特定の実施形態では、受信信号のＳＮＲは、電力増幅器２１２ａ−２１２ｃのうちの少なくとも１つをディセーブルして、システム２００において消費される電力の量を低減させるか否かの決定に、考慮に入れてもよい。
【００４１】
［００４７］
図２のシステム２００は、送信スループットがしきい値スループット３０２よりも大きいとき、トランシーバにおいて消費される電力の量を低減させてもよい。例えば、システム２００が、高スループットモード（例えば、送信スループットがおおよそ毎秒４ギガビット（Ｇｂｐｓ））で動作しているとき、および、低スループットデータレート（例えば、毎秒５００メガビット（Ｍｂｐｓ）のしきい値スループット３０２）を満足するであろうとき、プロセッサ２０２は、電力増幅器２１２ａ−２１２ｃに提供される電流の量を選択的に低減させてもよく、および／または、電力増幅器２１２ａ−２１２ｃのうちの少なくとも１つを選択的にディセーブルして、電力消費を低減させてもよい。
【００４２】
［００４８］
図４を参照すると、トランシーバにおいて、電力消費を低減させるための方法４００の例示的な実施形態を図示しているフローチャートが示されている。方法４００は、図１のワイヤレスデバイス１１０、図２のシステム２００、または、これらの任意の組み合わせによって実行してもよい。
【００４３】
［００４９］
方法４００は、４０２において、第１の信号に基づいて、移動体デバイスのアンテナエレメントのアレイの第１のアンテナまたは第２のアンテナのうちの少なくとも１つの使用を選択的にディセーブルすることを含んでいる。例えば、図２を参照すると、プロセッサ２０２は、移動体デバイス（例えば、図１のワイヤレスデバイス１１０）の送信スループットをしきい値（例えば、しきい値スループット３０２）と比較してもよい。送信スループットがしきい値スループット３０２を超えるという決定に応答して、プロセッサ２０２は、制御信号（例えば、第１の信号）を第１の制御回路２１８ａ（例えば、第１のバイアスレジスタ）に、または、第２の制御回路２１８ｂ（例えば、第２のバイアスレジスタ）に送ってもよい。第１の実施形態にしたがうと、第１の制御回路２１８ａは、第１の電力増幅器２１２ａへの電力をオフにすることにより、第１の信号に基づいて、第１のアンテナ２１０ａの使用をディセーブルしてもよい。第１のアンテナ２１０ａの使用をディセーブルすることは、第１の低ノイズ増幅器２１４ａをディセーブルすることも含んでいてもよい。第２の実施形態にしたがうと、第２の制御回路２１８ｂは、第２の電力増幅器２１２ｂへの電力をオフにすることにより、第１の信号に基づいて、第２のアンテナ２１０ｂの使用をディセーブルしてもよい。第２のアンテナ２１０ｂの使用をディセーブルすることは、第２の低ノイズ増幅器２１４ｂをディセーブルすることも含んでいてもよい。
【００４４】
［００５０］
方法４００は、第２の信号に基づいて、第１のアンテナに結合されている第１の増幅器と第２のアンテナに結合されている第２の増幅器とのうちの少なくとも１つに提供される電流を選択的に低減させることも含んでいてもよい。例えば、図２を参照して、送信スループットがしきい値スループット３０２を超えるという決定に応答して、プロセッサ２０２は、制御信号（例えば、第２の信号）を第１の制御回路２１８ａまたは第２の制御回路２１８ｂに送ってもよい。第１の実施形態にしたがうと、第２の制御回路２１８ｂは、第２の信号に基づいて、第２の電力増幅器２１２ｂに提供される電流の量を低減させてもよい。第２の実施形態にしたがうと、第１の制御回路２１８ａは、第２の信号に基づいて、第１の電力増幅器２１２ａに提供される電流の量を低減させてもよい。
【００４５】
［００５１］
特定の実施形態では、方法４００は、送信スループットがしきい値を下回って落ちるまで、第２の信号を使用する電流低減と、第１の信号を使用するアクティブなアンテナの数の低減とを交互に繰り返すことを含んでいてもよい。例えば、図２〜３を参照すると、プロセッサ２０２は、制御信号を電力増幅器２１２ａ−２１２ｃに送り、送信スループットを第１のレベル３０６から第２のレベル３０８へ徐々に低減させること（例えば、電流低減）と、アクティブなアンテナの数を低減させること（例えば、第１のアンテナ２１０ａをディセーブル）とを交互に繰り返してもよい。
【００４６】
［００５２］
特定の実施形態において、方法４００は、移動体デバイスのアンテナエレメントの第２のアレイのうちの少なくとも１つのアンテナの使用をディセーブルすることを含んでいてもよい。例えば、図２を参照すると、プロセッサ２０２は、制御信号をＲＦ回路２０６中の電力増幅器に送り、電力増幅器に結合されている対応するアンテナをディセーブルしてもよい。
【００４７】
［００５３］
図４の方法４００は、送信スループットが送信しきい値よりも大きいとき、トランシーバにおいて消費される電力の量を低減させてもよい。例えば、システム２００が高スループットモード（例えば、送信スループットがおおよそ４Ｇｂｐｓ）で動作しているとき、および、低スループットデータレート（例えば、５００Ｍｂｐｓのしきい値スループット３０２）を満足するであろうとき、プロセッサ２０２は、電力増幅器２１２ａ−２１２ｃに提供される電流の量を選択的に低減させてもよく、および／または、電力増幅器２１２ａ−２１２ｃのうちの少なくとも１つを選択的にディセーブルして、電力消費を低減させてもよい。
【００４８】
［００５４］
図５を参照すると、電力増幅器をディセーブルすることに基づいて、トランシーバにおける電力消費を低減させるための方法５００の例示的な実施形態を図示しているフローチャートが示されている。方法５００は、しきい値スループットを下回って落ちることに対する補正アクションをイネーブルしてもよく、図４の方法４００、（以下で説明するような）図７の方法７００、または、これらの任意の組み合わせ内に組み込んでもよい。図１のワイヤレスデバイス１１０、図２のシステム２００、または、これらの任意の組み合わせにより、方法５００を実行してもよい。
【００４９】
［００５５］
方法５００は、５０２において、ビーム形成プロセスを実行することを含んでいる。例えば、図２を参照すると、特定の角度における信号は、互いに強め合うように干渉するかもしれない一方で、他の信号は、互いに弱め合うように干渉して、指向性信号送信および／または指向性信号受信を提供するかもしれない。例えば、アンテナ２１０ａ−２１０ｃを介して受信した信号は、互いに強め合うおよび／または弱め合うように干渉して、指向性信号受信を提供してもよい。５０４において、エラーベクトル振幅（ＥＶＭ）を計算してもよい。例えば、図２を参照すると、プロセッサ２０２は、ビーム形成プロセスに基づいて、ＥＶＭを決定（例えば、計算）してもよい。５０６において、ＥＶＭに基づいて、送信スループットを設定してもよい。例えば、図２を参照すると、プロセッサ２０２は、計算されたＥＶＭに基づいて、送信スループットを計算してもよい。例えば、ＥＶＭに基づいて、エラーなく、システム２００がデータ（例えば、信号）を送信する最大送信スループットを、プロセッサ２０２は決定してもよい。
【００５０】
［００５６］
５０８において、プロセッサ２０２は、送信スループットがしきい値スループット３０２により大きいか否かを決定してもよい。５１０において、送信スループットがしきい値スループット３０２により大きい場合、プロセッサ２０２は、イネーブルされているアンテナ２１０ａ−２１０ｃの数が１より大きいか否かを決定してもよい。イネーブルされているアンテナ２１０ａ−２１０ｃの数が１より大きくない場合、プロセッサ２０２は、電力消費低減技術を実行せず、５２０において、プロセスを終了する。
【００５１】
［００５７］
５１２において、イネーブルされているアンテナ２１０ａ−２１０ｃの数が１より大きい場合、プロセッサ２０２は、ＲＦ回路２１４中の１つの電力増幅器をオフにしてもよい。例えば、プロセッサ２０２は、１つ以上の制御信号を第１の制御回路２１８ａに送り、第１の電力増幅器２１２ａをディセーブルしてもよい。第１の電力増幅器２１２ａをオフにした後、方法はステージ５０２に戻ってもよい。
【００５２】
［００５８］
５０８において、送信スループットがしきい値スループットより大きくない場合、５１４において、プロセッサ２０２は、電力増幅器２１２ａ−２１２ｃのうちの１つがオフか否かを決定してもよい。電力増幅器２１２ａ−２１２ｃのすべてがイネーブルされている場合、プロセッサ２０２は、電力消費低減技術を実行せず、５２０において、プロセスを終了する。電力増幅器２１２ａ−２１２ｃがオフである場合、５１６において、プロセッサ２０２は、ディセーブルされている電力増幅器２１２ａ−２１２ｃをオンにしてもよい。例えば、第１の電力増幅器２１２ａがディセーブルされているという決定に応答して、プロセッサ２０２は、１つ以上の制御信号を第１の制御回路２１８ａに送り、第１の電力増幅器２１２ａをイネーブル（例えば、第１のアンテナ２１０ａを介してデータ送信をイネーブル）してもよい。
【００５３】
［００５９］
図５の方法５００は、しきい値スループットを「アンダーシュートすること」（例えば、下回って落ちること）に対する補正アクションをイネーブルしてもよい。例えば、方法５００は、しきい値スループットが送信スループットより大きいという決定に応答して、プロセッサ２０２が、少なくとも１つの電力増幅器をオンできるようにしてもよい。他の特定の実施形態において、しきい値スループットが送信スループットより大きいという決定に応答して、追加の電力増幅器をイネーブルしてもよい。例えば、しきい値スループットが送信スループットよりも大きいという決定に応答して、送信スループットを改善（例えば、増加）するように、第２の電力増幅器２１２ｂもイネーブルしてもよい。
【００５４】
［００６０］
図６を参照すると、電力増幅器に提供される電流を低減させることに基づいて、トランシーバにおいて、電力消費を低減させるための方法６００の例示的な実施形態を図示しているフローチャートが示されている。方法６００は、しきい値スループットを下回って落ちることに応答して、追加の補正アクションをとってもよく、図４の方法４００、図５の方法５００、（以下で説明するような）図７の方法７００、または、これらの任意の組み合わせ内に組み込んでもよい。方法６００は、図１のワイヤレスデバイス１１０、図２のシステム２００、または、これらの任意の組み合わせによって実行してもよい。
【００５５】
［００６１］
方法６００は、６０２において、ビーム形成プロセスを実行することを含んでいる。例えば、図２を参照すると、特定の角度における信号は、互いに強め合うように干渉するかもしれない一方で、他の信号は、互いに弱め合うように干渉して、指向性信号送信および／または指向性信号受信を提供するかもしれない。例えば、アンテナ２１０ａ−２１０ｃを介して受信した信号は、互い強め合うおよび／または弱め合うように干渉して、指向性信号受信を提供してもよい。６０４において、エラーベクトル振幅（ＥＶＭ）を計算してもよい。例えば、図２を参照すると、プロセッサ２０２は、ビーム形成プロセスに基づいて、ＥＶＭを決定（例えば、計算）してもよい。６０６において、ＥＶＭに基づいて、送信スループットを設定してもよい。例えば、図２を参照すると、プロセッサ２０２は、計算されたＥＶＭに基づいて、送信スループットを決定してもよい。例えば、ＥＶＭに基づいて、エラーなく、システム２００がデータ（例えば、信号）を送信する最大送信スループットを、プロセッサ２０２は決定してもよい。
【００５６】
［００６２］
６０８において、プロセッサ２０２は、送信スループットがしきい値スループット３０２より大きいか否かを決定してもよい。送信スループットがしきい値スループット３０２より大きい場合、６１０において、プロセッサ２０２は、電力増幅器２１２ａ−２１２ｃに提供される電流を低減させてもよい。例えば、プロセッサ２０２は、制御信号（例えば、デジタルコード）を各制御回路２１８ａ−２１８ｃに送り、各制御回路２１８ａ−２１８ｃは、対応する電力増幅器２１２ａ−２１２ｃに提供される電流の量を低減させてもよい（例えば、低減させた電流の量を各電力増幅器２１２ａ−２１２ｃに提供する）。電力増幅器２１２ａ−２１２ｃに提供される電流を低減させた後、方法６００はステージ６０２に戻ってもよい。
【００５７】
［００６３］
送信スループットがしきい値スループットより大きくない場合、６１２において、プロセッサ２０２は、電力増幅器２１２ａ−２１２ｃに適用される電流を増加させることができるか否かを決定してもよい。例えば、プロセッサ２０２は、デジタルコード（ｎ）が初期値（ｎ＝０）（例えば、電力増幅器２１２ａ−２１２ｃに提供される最大電流の量に対応する値）に対応するか否かを決定してもよい。デジタルコード（ｎ）が初期値に対応する（例えば、電力増幅器２１２ａ−２１２ｃに提供される電流を増加させることができない）という決定に応答して、６１６において、プロセスは終了する。デジタルコード（ｎ）が初期値に対応していないという決定に応答して、６１４において、プロセッサ２０２は、電流を電力増幅器２１２ａ−２１２ｃに追加してもよい。例えば、プロセッサ２０２は、制御信号（例えば、デジタルコード）を各制御回路２１８ａ−２１８ｃに送ってもよく、各制御回路２１８ａ−２１８ｃは、対応する電力増幅器２１２ａ−２１２ｃに提供される電流の量を増加させて、送信スループットを改善（例えば、増加）してもよい。
【００５８】
［００６４］
図６の方法６００は、しきい値スループットを「アンダーシュートすること」（例えば、下回って落ちる）に対する補正アクションをイネーブルしてもよい。例えば、方法６００は、しきい値スループットが送信スループットより大きいという決定に応答して、プロセッサ２０２が、電力増幅器２１２ａ−２１２ｃに提供される電流の量を増加させることができるようにしてもよい。電力増幅器２１２ａ−２１２ｃに提供される電流の量を増加させることは、送信スループットを徐々に増加させるかもしれない。
【００５９】
［００６５］
図７を参照すると、トランシーバにおいて、電力消費を低減させるための方法７００の別の例示的な実施形態を図示しているフローチャートが示されている。方法７００は、図１のワイヤレスデバイス１１０、図２のシステム２００、または、これらの任意の組み合わせによって実行してもよい。
【００６０】
［００６６］
方法７００は、７０２において、ビーム形成プロセスを実行することを含んでいてもよい。例えば、図２を参照すると、特定の角度における信号は互いに強め合うように干渉するかもしれない一方で、他の信号は、互いに弱め合うように干渉して、指向性信号送信および／または指向性信号受信を提供するかもしれない。例えば、アンテナ２１０ａ−２１０ｃを介して受信した信号は、互いに強め合うようにおよび／または弱め合うように干渉して、指向性信号受信を提供してもよい。７０４において、エラーベクトル振幅（ＥＶＭ）にしたがって、送信スループットを調節してもよい。例えば、図２を参照すると、プロセッサ２０２または他のプロセッサは、ＥＶＭを決定（例えば、計算）してもよい。システム２００の送信スループットは、計算されたＥＶＭに基づいて、調節してもよい。例えば、ＥＶＭに基づいて、エラーなく、システム２００がデータ（例えば、信号）を送信する最大送信スループットを、プロセッサ２０２は決定してもよい。
【００６１】
［００６７］
７０６において、プロセッサ２０２は、しきい値スループット３０２（例えば、絶対しきい値スループット３０４プラスマージン）が送信スループットより小さいか否かを決定してもよい。しきい値スループット３０２が送信スループットより小さくないという決定に応答して、プロセッサ２０２は、電力消費低減技術を実行せず、７０８において、プロセスを終了する。しきい値スループットが送信スループットより小さいという決定に応答して、７１２において、プロセッサ２０２は、制御回路２１８ａ−２１８ｃを使用して、電力増幅器２１２ａ−２１２ｃに供給される電流を低減させてもよい。例えば、プロセッサ２０２は、各電力増幅器２１２ａ−２１２ｃに提供される電流の量を低減させて、低減された電流の量を各電力増幅器２１２ａ−２１２ｃに提供してもよい。図３に関して、送信スループットが第１のレベル３０６であるとの決定に応答して、プロセッサ２０２は、制御信号（例えば、デジタルコード）を各制御回路２１８ａ−２１８ｃに送ってもよく、各制御信号２１８ａ−２１８ｃは、制御信号に基づいて、対応する電力増幅器２１２ａ−２１２ｃに提供される電流の量を低減させてもよい。したがって、電力増幅器２１２ａ−２１２ｃに提供される電流の量は、制御回路２１８ａ−２１８ｃに提供されるデジタルコード（ｎ）に基づいていてもよい。例えば、デジタルコード（ｎ）の値が減少する（例えば、ｎ＝ｎ−１）毎に、電力増幅器２１２ａ−２１２ｃに提供される電流の量を、均一な量だけ低減させてもよい。非限定的な例として、デジタルコード（ｎ）が減少する毎に、電力増幅器２１２ａ−２１２ｃに提供される電流の量を、２０ミリアンペア（ｍＡ）だけ低減させてもよい。
【００６２】
［００６８］
７１４において、電力増幅器２１２ａ−２１２ｃに提供されている低減された電流に基づいて、送信スループットを調節してもよい。例えば、プロセッサ２０２は、各電力増幅器２１２ａ−２１２ｃに提供されている第２の電流の量に応答して、送信スループットを決定してもよい。７１６において、プロセッサ２０２は、新たなＥＶＭに基づいて、しきい値スループット３０２が送信スループットより小さいか否かを決定してもよい。
【００６３】
［００６９］
新たなＥＶＭに基づいて、しきい値スループット３０２が送信スループットより小さくないと決定することに応答して、プロセッサ２０２は、追加の電力消費低減技術を実行せず、７１８において、プロセスを終了する。図５に関して説明したように、特定の実施形態において、しきい値スループット３０２は送信スループットより小さくないという決定に応答して、１つ以上の電力増幅器２１２ａ−２１２ｃをオンに戻してもよい。新たなＥＶＭに基づいて、しきい値スループット３０２が送信スループットより小さいと決定することに応答して、７２０において、プロセッサ２０２は、デジタルコード（ｎ）が最小値（Ｎ）に達したか否かを決定（例えば、電力増幅器２１２ａ−２１２ｃに提供される電流をさらに低減させることができるか否かを決定）してもよい。デジタルコード（ｎ）が最小値（Ｎ）に達していない場合、方法７００はステージ７１２に戻ってもよい。
【００６４】
［００７０］
デジタルコード（ｎ）が最小値（Ｎ）に達している場合、７２２において、プロセッサ２０２は、新たなＥＶＭマイナス送信スループットバッファ値（例えば、図３の「しきい値Ａ」）に基づいて、しきい値スループットが送信スループットより小さいか否かを決定してもよい。新たなＥＶＭマイナス送信スループットバッファ値に基づいて、しきい値スループットが送信スループットより小さくない場合、７２４において、デジタルコード（ｎ）を初期化して（例えば、ｎ＝０）、方法７００は７１２に戻る。新たなＥＶＭマイナス送信スループットバッファ値に基づいて、しきい値スループットが送信スループットより小さい場合、７２６において、プロセッサ２０２は、動作エレメント（例えば、電力増幅器）の数が１より大きいか否かを決定してもよい。例えば、プロセッサ２０２は、電力増幅器２１２ａ−２１２ｃのうちの少なくとも２つがイネーブルされているか否かを決定してもよい。
【００６５】
［００７１］
動作エレメントの数が１より大きくないと決定することに応答して、プロセッサ２０２は、追加の電力消費低減技術を実行せず、７１８において、プロセスを終了する。動作エレメントの数が１より大きいと決定することに応答して、７２８において、プロセッサ２０２は、特定の数（Ｍ）の動作エレメントをオフにして、７０２に戻ってもよい。例えば、プロセッサ２０２は、１つ以上の制御信号を第１の制御回路２１８ａに送り、第１の電力増幅器２１２ａ（例えば、Ｍ＝１）をディセーブルしてもよい。図３中に示すように、第１の電力増幅器２１２ａをディセーブルすることは、送信スループットにおける実質的な低減をもたらすことができる。別の例として、プロセッサ２０２は、１つ以上の制御信号を、第１の制御回路２１８ａおよび第２の制御回路２１８ｂに送り、第１の電力増幅器２１２ａおよび第２の電力増幅器２１２ｂ（例えば、Ｍ＝２）をそれぞれディセーブルしてもよい。
【００６６】
［００７２］
図７の方法７００は、送信スループットがしきい値スループット３０２よりも大きいとき、トランシーバにおいて消費される電力の量を低減させてもよい。例えば、システム２００が高スループットモードで動作しているとき（例えば、送信スループットがおおよそ４Ｇｂｐｓ）、および、低スループットデータレート（例えば、５００Ｍｂｐｓのしきい値スループット３０２）を満足するとき、プロセッサ２０２は、電力増幅器２１２ａ−２１２ｃに提供される電流の量を選択的に低減させてもよく、および／または、電力増幅器２１２ａ−２１２ｃのうちの少なくとも１つを選択的にディセーブルして、電力消費を低減させてもよい。
【００６７】
［００７３］
説明した実施形態に関連して、装置は、第１の入力信号を増幅する第１の手段を含んでいる。増幅する第１の手段は、移動体デバイスのアンテナエレメントのアレイの第１のアンテナに結合するように構成されていてもよい。例えば、増幅する第１の手段は、図２の第１の電力増幅器２１２ａ、図２の第２の電力増幅器２１２ｂ、図２の第Ｎの電力増幅器２１２ｃ、１つ以上の他のデバイス、回路、モジュール、または、これらの任意の組み合わせを含んでいてもよい。
【００６８】
［００７４］
装置は、第２の入力信号を増幅する第２の手段も含んでいる。増幅する第２の手段は、アンテナエレメントのアレイの第２のアンテナに結合するように構成されていてもよい。例えば、増幅する第２の手段は、図２の第１の電力増幅器２１２ａ、図２の第２の電力増幅器２１２ｂ、図２の第Ｎの電力増幅器２１２ｃ、１つ以上の他のデバイス、回路、モジュール、または、これらの任意の組み合わせを含んでいてもよい。
【００６９】
［００７５］
装置はまた、増幅する第１の手段と増幅する第２の手段とうちの１つに提供される電流を選択的に低減させる手段と、増幅する第１の手段と増幅する第２の手段とうちの他を選択的にディセーブルする手段と含んでいる。例えば、電流を選択的に低減させる手段と選択的にディセーブルする手段は、図２の第１の制御回路２１８ａ、図２の第２の制御回路２１８ｂ、図２の第Ｎの制御回路２１８ｃ、１つ以上の他のデバイス、回路、モジュール、または、これらの任意の組み合わせを含んでいてもよい。
【００７０】
［００７６］
装置は、増幅する第１の手段に結合されている位相シフトする第１の手段も含んでいてもよい。例えば、位相シフトする第１の手段は、図２の第１の位相シフタ２１６ａ、図２の第２の位相シフタ２１６ｂ、図２の第Ｎの位相シフタ２１６ｃ、１つ以上の他のデバイス、回路、モジュール、または、これらの任意の組み合わせを含んでいてもよい。
【００７１】
［００７７］
装置は、増幅する第２の手段に結合されている位相シフトする第２の手段も含んでいてもよい。例えば、位相シフトする第２の手段は、図２の第１の位相シフタ２１６ａ、図２の第２の位相シフタ２１６ｂ、図２の第Ｎの位相シフタ２１６ｃ、１つ以上の他のデバイス、回路、モジュール、または、これらの任意の組み合わせを含んでいてもよい。
【００７２】
［００７８］
装置は、選択的に電流を低減させる手段と選択的にディセーブルする手段とに結合されている、処理する手段も含んでいてもよい。例えば、処理する手段は、図２のプロセッサ２０２、１つ以上の他のデバイス、回路、モジュール、または、これらの任意の組み合わせを含んでいてもよい。処理する手段は、移動体デバイスの送信スループットをしきい値と比較し、送信スループットがしきい値より大きいことに基づいて、選択的に電流を低減させる手段と選択的にディセーブルする手段とを介して、電力消費を低減させるように構成されていてもよい。
【００７３】
［００７９］
装置は、第３の入力信号を増幅する第３の手段も含んでいてもよい。増幅する第３の手段の入力は、第１のアンテナに結合するように構成されていてもよい。例えば、増幅する第３の手段は、図２の第１の低ノイズ増幅器２１４ａ、図２の第２の低ノイズ増幅器２１４ｂ、図２の第Ｎの低ノイズ増幅器２１４ｃ、１つ以上の他のデバイス、回路、モジュール、または、これらの任意の組み合わせを含んでいてもよい。増幅する第３の手段は、選択的に電流を低減させる手段と選択的にディセーブルする手段とに結合されていてもよい。
【００７４】
［００８０］
装置は、第４の入力信号を増幅する第４の手段も含んでいてもよい。増幅する第４の手段の入力は、第２のアンテナに結合するように構成されていてもよい。例えば、増幅する第４の手段は、図２の第１の低ノイズ増幅器２１４ａ、図２の第２の低ノイズ増幅器２１４ｂ、図２の第Ｎの低ノイズ増幅器２１４ｃ、１つ以上の他のデバイス、回路、モジュール、または、これらの任意の組み合わせを含んでいてもよい。増幅する第４の手段は、選択的に電流を低減させる手段と選択的にディセーブルする手段とに結合されていてもよい。
【００７５】
［００８１］
当業者であれば、ここで開示した実施形態に関連して説明したさまざまな例示的な論理ブロック、コンフィギュレーション、モジュール、回路、およびアルゴリズムステップは、電子ハードウェア、プロセッサによって実行されるコンピュータソフトウェア、または両方の組み合わせとして実現してもよいとさらに認識するであろう。さまざまな例示的なコンポーネント、ブロック、コンフィギュレーション、モジュール、回路、およびステップは、一般的にそれらの機能性に関して上記で説明した。このような機能性が、ハードウェアとして、またはプロセッサ実行可能な命令として実現されるか否かは、特定のアプリケーションおよびシステム全体に課せられる設計制約に依存する。当業者は、各特定のアプリケーションに対して、さまざまな方法で、説明した機能性を実現できるが、このようなインプリメンテーションの決定を、本開示の範囲からの逸脱をもたらすものと解釈すべきではない。
【００７６】
［００８２］
ここで開示した実施形態に関して説明した方法またはアルゴリズムのステップは、直接ハードウェアで、プロセッサによって実行されるソフトウェアモジュールで、またはこれら２つの組み合わせで、具現化してもよい。ソフトウェアモジュールは、ランダムアクセスメモリ（ＲＡＭ）、フラッシュメモリ、リードオンリーメモリ（ＲＯＭ）、プログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ（登録商標））、レジスタ、ハードディスク、リムーバブルディスク、コンパクトディスクプログラマブルリードオンリーメモリ（ＣＤ−ＲＯＭ）、または技術的に既知である非一時的な記憶媒体の他の何らかの形態中に存在してもよい。例示的な記憶媒体は、プロセッサが記憶媒体から情報を読み取ったり、記憶媒体に情報を書き込んだりできるように、プロセッサに結合されている。代替実施形態では、記憶媒体は、プロセッサと一体化されていてもよい。プロセッサと記憶媒体は、特定用途向け集積回路（ＡＳＩＣ）に存在してもよい。ＡＳＩＣは、コンピューティングデバイスまたはユーザ端末に存在してもよい。代替実施形態では、プロセッサと記憶媒体は、コンピューティングデバイスまたはユーザ端末においてディスクリートコンポーネントとして存在してもよい。
【００７７】
［００８３］
開示した実施形態の前の説明は、当業者が開示した実施形態を行うまたは使用することを可能にするために提供される。これらの実施形態へのさまざまな修正は当業者に容易に明らかであり、ここで規定した原理は、開示の範囲から逸脱することなく、他の実施形態に適用することができる。したがって、本開示は、ここに示した実施形態に限定するようには意図されず、以下の特許請求の範囲によって規定されるような原理および新規な特徴と一致する、可能である最も広い範囲に一致させるべきである。
以下に、本願出願の当初の特許請求の範囲に記載された発明を付記する。
［１］  装置において、
移動体デバイスのアンテナエレメントのアレイの第１のアンテナに結合するように構成されている第１の増幅器と、
前記アンテナエレメントのアレイの第２のアンテナに結合するように構成されている第２の増幅器と、
前記第１および前記第２の増幅器のうちの１つをオフにし、前記第１および前記第２の増幅器のうちの他に提供される電流の量を選択的に低減させるように構成されている制御回路とを具備する装置。
［２］  前記制御回路は、前記第１の増幅器に結合されている第１のバイアスレジスタと前記第２の増幅器に結合されている第２のバイアスレジスタとを備える［１］記載の装置。
［３］  制御信号パスを介して、前記第１のバイアスレジスタと前記第２のバイアスレジスタとに結合されているプロセッサをさらに具備する［２］記載の装置。
［４］  前記第１のアンテナに結合するように構成されている第１の低ノイズ増幅器と、前記第２のアンテナに結合するように構成されている第２の低ノイズ増幅器とをさらに具備し、
前記第１の増幅器と前記第２の増幅器は、電力増幅器である［１］記載の装置。
［５］  前記第１の増幅器の入力と前記第１の低ノイズ増幅器の出力とに結合されている第１の位相シフターと、
前記第２の増幅器の入力と前記第２の低ノイズ増幅器の出力とに結合されている第２の位相シフターとをさらに具備する［４］記載の装置。
［６］  前記制御回路は、前記第１の低ノイズ増幅器と前記第２の低ノイズ増幅器とにさらに結合されている［４］記載の装置。
［７］  前記移動体デバイスのアンテナエレメントの第２のアレイ中のアンテナに結合するように構成されている少なくとも１つの増幅器をさらに具備する［１］記載の装置。
［８］  前記アンテナエレメントの第２のアレイは、選択的にディセーブルされるように構成されている［７］記載の装置。
［９］  装置において、
第１の入力信号を増幅する第１の手段と、
第２の入力信号を増幅する第２の手段と、
前記増幅する第１の手段と前記増幅する第２の手段とのうちの１つに提供される電流を選択的に低減させ、前記増幅する第１の手段と前記増幅する第２の手段とのうちの他を選択的にディセーブルする手段とを具備し、
前記増幅する第１の手段は、移動体デバイスのアンテナエレメントのアレイの第１のアンテナに結合するように構成され、
前記増幅する第２の手段は、前記アンテナエレメントのアレイの第２のアンテナに結合するように構成されている装置。
［１０］  前記増幅する第１の手段に結合されている、位相シフトする第１の手段と、
前記増幅する第２の手段に結合されている、位相シフトする第２の手段をさらに具備する［９］記載の装置。
［１１］  前記選択的に電流を低減させ、選択的にディセーブルする手段に結合されている、処理する手段をさらに具備する［９］記載の装置。
［１２］  前記処理する手段は、前記移動体デバイスの送信スループットをしきい値と比較し、前記送信スループットが前記しきい値より大きいことに基づいて、前記選択的に電流を低減させ、選択的にディセーブルする手段を介して、電力消費を低減させるように構成されている［１１］記載の装置。
［１３］  第３の入力信号を増幅する第３の手段と、
第４の入力信号を増幅する第４の手段とをさらに具備し、
前記増幅する第３の手段の入力は、前記第１のアンテナに結合するように構成され、
前記増幅する第４の手段の入力は、前記第２のアンテナに結合するように構成されている［９］記載の装置。
［１４］  前記増幅する第３の手段と前記増幅する第４の手段は、前記選択的に電流を低減させ、選択的にディセーブルする手段に結合されている［１３］記載の装置。
［１５］  方法において、
第１の信号に基づいて、移動体デバイスのアンテナエレメントのアレイの、第１のアンテナまたは第２のアンテナのうちの少なくとも１つの使用を選択的にディセーブルすることと、
第２の信号に基づいて、前記第１のアンテナに結合されている第１の増幅器と前記第２のアンテナに結合されている第２の増幅器とのうちの少なくとも１つに提供される電流を選択的に低減させることとを含む方法。
［１６］  前記第１の信号は、前記第１の増幅器に結合されている第１のバイアスレジスタと前記第２の増幅器に結合されている第２のバイアスレジスタとのうちの１つによって受け取られ、
前記第２の信号は、前記第１のバイアスレジスタと前記第２のバイアスレジスタとのうちの他によって受け取られる［１５］記載の方法。
［１７］  前記移動体デバイスの送信スループットをしきい値と比較することと、
前記送信スループットが前記しきい値より大きい間、前記第１の信号と前記第２の信号とのうちの少なくとも１つを送ることにより、前記移動体デバイスの電力消費を低減させることとをさらに含む［１５］記載の方法。
［１８］  前記送信スループットが前記しきい値を下回るまで、
前記第２の信号を使用する電流低減と、
前記第１の信号を使用する、アクティブなアンテナの数の低減とを交互に繰り返すことをさらに含む［１７］記載の方法。
［１９］  前記第１のアンテナまたは前記第２のアンテナのうちの少なくとも１つの使用を選択的にディセーブルすることは、低ノイズ増幅器を選択的にディセーブルすることを含む［１５］記載の方法。
［２０］  前記移動体デバイスのアンテナエレメントの第２のアレイのうちの少なくとも１つのアンテナの使用をディセーブルすることをさらに含む［１５］記載の方法。
【図１】
0006526022.tif 000002
【図２】
0006526022.tif 000003
【図３】
0006526022.tif 000004
【図４】
0006526022.tif 000005
【図５】
0006526022.tif 000006
【図６】
0006526022.tif 000007
【図７】
0006526022.tif 000008